(57)【要約】  グループの１人以上のメンバー（１０２または１０４）の利用パターンが決定される。グループのサービス品質（ＱｏＳ）レベル（１１４）が決定され、グループの１人以上のメンバー（１０２または１０４）の利用パターンに基づく。グループの１人以上のメンバー（１０２または１０４）の利用パターンの変化に基づき、ＱｏＳレベル（１１４）が動的に変更される。
2009519685.tif 000002
【特許請求の範囲】
【請求項１】
グループのメンバーのサービス品質（ＱｏＳ）レベルを決定する方法であって、
１人以上のメンバーを含むグループのプロファイルを確立するプロファイル確立工程と、
グループの前記１人以上のメンバーの利用パターンを決定する利用パターン決定工程と、
グループの前記１人以上のメンバーの利用パターンに基づき、サービス品質（ＱｏＳ）レベルを決定し、前記グループと関連付けるＱｏＳ決定工程と、
グループの前記１人以上のメンバーの利用パターンの変化に基づき、ＱｏＳレベルを動的に変更するＱｏＳ変更工程と、
からなる方法。
【請求項２】
利用パターン決定工程は、時間的な利用パターンおよび地理的な利用パターンから選択される１つ以上の利用パターンを決定する工程を含む請求項１に記載の方法。
【請求項３】
少なくとも部分的にはＱｏＳレベルに基づき、ネットワークにおいて通信を管理する工程を含む請求項１に記載の方法。
【請求項４】
ＱｏＳ決定工程は、複数のＱｏＳレベルを決定する工程を含む請求項１に記載の方法。
【請求項５】
ＱｏＳ決定工程は、少なくとも部分的には装置の種類に基づきＱｏＳレベルを決定する工程を含む請求項１に記載の方法。
【請求項６】
前記プロファイルが所定の特性を有するか否かを判定するために、オペレータが前記プロファイルについて問い合わせを行う工程を含む請求項１に記載の方法。
【請求項７】
ネットワークにおいて異なる複数のサービスエリア間で前記プロファイルを転送する工程を含む請求項１に記載の方法。
【請求項８】
前記グループの別のメンバーがＱｏＳレベルを調節することを可能とする工程を含む請求項１に記載の方法。
【請求項９】
ＱｏＳ変更工程は、ユーザ数に基づきＱｏＳを動的に調節する工程を含む請求項１に記載の方法。
【請求項１０】
グループのメンバーのサービス品質（ＱｏＳ）レベルを決定する方法であって、
グループの１人以上のメンバーの時間的および地理的な利用パターンを決定する利用パターン決定工程と、
グループの前記１人以上のメンバーの時間的および地理的な利用パターンに基づき、サービス品質（ＱｏＳ）レベルを決定し、前記グループと関連付けるＱｏＳ決定工程と、
からなる方法。
【請求項１１】
グループの前記１人以上のメンバーの時間的および地理的な利用パターンの変化に基づき、ＱｏＳレベルを動的に変更するＱｏＳ変更工程を含む請求項１０に記載の方法。
【請求項１２】
少なくとも部分的にはＱｏＳレベルに基づき、ネットワークにおいて通信を管理する工程を含む請求項１０に記載の方法。
【請求項１３】
ＱｏＳ決定工程は、複数のＱｏＳレベルを決定する工程を含む請求項１０に記載の方法。
【請求項１４】
グループのメンバーのサービス品質（ＱｏＳ）を決定する装置であって、
１人以上のメンバーを含むグループのプロファイルを記憶するメモリと、
入力部を有する受信器と、
メモリおよび受信器に結合されており、受信器の入力部においてグループの前記１人以上のメンバーの利用パターンを受信するコントローラと、同コントローラは、前記利用パターンに基づきＱｏＳレベルを決定し、前記グループのプロファイルと関連付けるようにプログラムされていることと、同コントローラは、ＱｏＳレベルをメモリに記憶するようにプログラムされていることと、同コントローラは、グループの前記１人以上のメンバーの利用パターンの変化に基づき、ＱｏＳレベルを動的に変更するようにプログラムされていることと、
からなる装置。
【請求項１５】
前記利用パターンは時間的な利用パターンおよび地理的な利用パターンから選択される請求項１４に記載の装置。
【請求項１６】
前記コントローラは、複数のＱｏＳレベルを決定するようにプログラムされている請求項１４に記載の装置。
【請求項１７】
前記コントローラは、少なくとも部分的には装置の種類に基づきＱｏＳレベルを決定するようにプログラムされている請求項１４に記載の装置。
【発明の詳細な説明】
【技術分野】
【０００１】
本発明はネットワークを通じて通信のルーティングを行うことに関する。より詳細には、本発明はグループのメンバーのサービス品質（ＱｏＳ）プロファイルを提供することに関する。
【背景技術】
【０００２】
様々な種類のネットワークやネットワークの組み合わせが、現在の通信システムにおいては用いられている。例えば、セルラーネットワークなどの無線ネットワークによって、ユーザ間で音声呼が伝達される。また、パケットデータネットワークも存在する。この種類のネットワークでは、ユーザ間で情報のパケットが伝達される。また、一定のプロトコル（例えば、Ｂｌｕｅｔｏｏｔｈ（登録商標）プロトコル）を用いる無線ローカルエリアネットワーク（ＷＬＡＮ）など、代替のネットワークも、情報を伝達するために用いられる。多くの場合、これらのネットワークは、通信が最終的な宛先に到達するために様々なネットワークを通じて伝達されるように、相互接続されている。
【０００３】
これらの種類のネットワークの多くでは、ユーザはユーザグループに割り当てられ、それらのユーザグループは、多くの場合、関連するプロファイルを有する。このプロファイルは、グループのメンバーに関する一定の特性、ユーザに関連した性能もしくはサービス、または他の種類の情報を示す場合がある。また、このプロファイルは関連するサービス品質（ＱｏＳ）レベルを有する場合がある。
【０００４】
ストリーミングビデオまたはオーディオアプリケーションなどの高帯域アプリケーションが、上述のネットワークにおいて、しばしば用いられる。それらの状況では、帯域の幅およびネットワークのユーザ数が増大するので、システムの輻輳は増大する。輻輳が増大するので、ネットワークのユーザおよびサービスに特定のＱｏＳレベルを提供することは次第に困難となる。
【０００５】
従来のシステムでは、ＱｏＳレベルは様々な手法を用いることによって選択されていた。例えば、一部の従来のシステムでは、サービスには、そのサービスに対応するＱｏＳ要件が指示されるが、他の従来のシステムでは、ＱｏＳレベルは所与のネットワークまたはサービスの種類について不変である。
【発明の開示】
【発明が解決しようとする課題】
【０００６】
残念なことに、従来の手法では、すべて、システムの個々のユーザ間の動作に関する差が考慮されていない。例えば、特定のユーザは特定の時間的および地理的な利用パターンを有する場合があるが、他のユーザが非常に異なる利用パターンおよび動作要件を有していたという事実にもかかわらず、依然として他のユーザが割り当てられていたのと同じＱｏＳレベルを割り当てられる。この結果、従来のシステムでは、ユーザおよびサービスに不適切なＱｏＳレベルが供給される場合が多く、非効率的なネットワーク動作、システム遅延、通信の中断およびシステムに対するユーザの欲求不満が生じていた。
【課題を解決するための手段】
【０００７】
グループプロファイルを決定し、動的に変更するシステムおよび方法によって、サービス品質（ＱｏＳ）レベルがグループプロファイルに関連付けられる。ＱｏＳレベルは、グループのメンバーの利用パターンによって動的に決定され得る。この結果、ＱｏＳレベルはグループのメンバーの利用パターンに関連するので、より効率的なシステム動作およびより優れたサービスがシステムのユーザに提供される。
【０００８】
これらの実施形態の多くでは、グループメンバーを有するグループのプロファイルが確立される。次いで、そのグループのメンバーについて、利用パターンが決定される。利用パターンは任意の数の利用条件と関連してよい。例えば、利用パターンは、ユーザの時間的な利用パターンまたはユーザの地理的な利用パターンであってよい。利用パターンの他の例も可能である。
【０００９】
サービス品質（ＱｏＳ）レベルは、グループについて決定され、決定した利用パターンに基づく。ＱｏＳレベルはメンバーの利用パターンの変化に基づき、動的に変更される。これに加えて、ＱｏＳレベルが他の目的のために用いられてもよい。例えば、ネットワークの全体を通じて行われる通信は、ＱｏＳレベルに基づき処理および管理されてよい。
【００１０】
また、ＱｏＳレベルは異なる手法によって構築されてもよい。例えば、ＱｏＳレベルは実際には複数のＱｏＳレベルであってよい。これに加えて、ＱｏＳレベルはユーザに関連した装置の種類に基づいてよい。
【００１１】
ＱｏＳレベルの動的な調節が可能である。例えば、グループの別のメンバーがＱｏＳレベルを直接調節することが可能とされてもよい。これに加えて、様々な因子または条件が時間を通じて変化するのにしたがって、ＱｏＳレベルが動的に調節されてもよい。例えば、ＱｏＳレベルはシステムのユーザの数が変化するのにしたがって変化してもよい。
【００１２】
これらの実施形態のうちの一部では、プロファイルが所定の特性を有するか否かを判定するために、オペレータがグループのプロファイルについて問い合わせを行ってもよい。また、グループプロファイルは、ネットワークの異なる複数のサービスエリア間で転送されてもよい。
【００１３】
したがって、グループプロファイルを決定し、動的に変更するとともに、ＱｏＳレベルをそのグループプロファイルに関連付ける手法について記載する。ＱｏＳレベルは、グループのメンバーの利用パターンによって決定されてよい。この結果、より平衡の取れたＱｏＳレベルがシステムのユーザに提供され、より効率的なシステム性能が保証される。
【発明を実施するための最良の形態】
【００１４】
ここで図１を参照して、グループのメンバーのプロファイルを決定し、動的にプロファイルを変更するシステムの一例について記載する。移動局１０２，１０４はネットワーク１０９内において動作する。移動局１０２，１０４は、任意の種類の無線装置、例えば、セルラー電話機、ページャ、携帯情報端末（ＰＤＡ）またはパーソナルコンピュータであってよい。移動局の他の例も可能である。
【００１５】
移動局１０２，１０４は、第１の無線接続ネットワーク１０６と通信を行う。このＲＡＮ１０６および第２のＲＡＮ１０８は、移動局１０２，１０４がネットワーク１０９と情報を交換することを可能とする要素を含む。これに関して、ＲＡＮ１０６，１０８は、基地局、基地局コントローラ、サーバ、ゲートウェイや、移動局１０２，１０４がネットワーク１０９と情報を交換することを可能とする他の要素を含んでよい。
【００１６】
ネットワーク１０９は任意の種類のネットワークまたは任意のネットワークの組み合わせであってよい。例えば、ネットワーク１０９は、パケットデータネットワーク、任意の無線ネットワーク、インターネット、セルラーネットワーク、プッシュ・ツー・トーク（ＰＴＴ）ネットワークまたは従来の電話ネットワークであってよい。示すように、ネットワーク１０９は制御要素１１０を含む。制御要素１１０は、サーバなど任意の種類の要素であってよい。これに代えて、制御要素１１０は、ＲＡＮ１０６，１０８のいずれかに位置してもよく、あるいはＲＡＮ１０６，１０８の間で共有されてもよい。
【００１７】
制御要素１１０は、グループプロファイル１１２にアクセスを行う。グループプロファイル１１２に関連したメンバーは、家族、友人、同僚メンバーまたは公衆安全作業員（ｐｕｂｌｉｃ  ｓａｆｅｔｙ  ｗｏｒｋｅｒ）など、特定の手法によって関連付けられてよい。グループプロファイル１１２はＱｏＳレベル１１４を含む。また、グループプロファイル１１２は、グループのメンバーの識別情報（ｉｄｅｎｔｉｔｙ）を示すフィールド１１６を有する。この例では、フィールド１１６は、グループのメンバーが「Ａ」（移動局１０２と関連付けられる）および「Ｂ」（移動局１０４と関連付けられる）であることを示す。グループプロファイル１１２は、移動局が複数のネットワークまたはネットワークの一部の間で移動するとき、転送可能である。
【００１８】
また、グループプロファイル１１２は、承認ポリシー、承認優先度や、優先度を改良するまたは与える手法を含むことが可能である。例えば、グループに対する承認は、装置の種類またはメンバー候補の挙動のために否認されてもよい。
【００１９】
ＱｏＳレベルは、特定のプロファイルに参加するユーザの数など、様々な因子に基づいてよい。例えば、２人のメンバーしかグループに関連付けられていないとき、低いＱｏＳが選択されてよい。７人のメンバーがグループに関連付けられているとき、中位のＱｏＳが選択されてよい。１５人のメンバーがグループに関連付けられているとき、高いＱｏＳが選択されてよい。この結果、グループに割り当てられたメンバーの数が大きいほど、ＱｏＳレベルは高くなる。別の例では、ＱｏＳは、一定の状況において、不変的な事由および暫定的な事由の両方によって、割当、調節またはその両方が行われることが可能である。例えば、緊急な事情のために、様々なグループのユーザ（例えば、消防士または警察官）がグループに参加していることが明らかとなるとき、ＱｏＳレベルは増大されることが可能である。
【００２０】
図１のシステムの動作の一例では、あるグループについてプロファイル１１２が確立されており、このグループはメンバー「Ａ」および「Ｂ」を含む。グループのメンバーについて利用パターンが決定される。例えば、この利用パターンは、ユーザ「Ａ」および「Ｂ」に関連付けられた時間的な利用パターン（例えば、これらのユーザがシステムを使用しているとき）であってよい。別の例では、利用パターンは、ユーザがシステムを使用している場所に関する地理的な利用パターン（例えば、ある公道に沿って、またはある都市もしくは都市の領域において）であってよい。利用条件の他の例も可能である。さらに別の例では、ＱｏＳレベルは、ユーザによって用いられる装置の種類に依存してもよい。
【００２１】
ＱｏＳレベル１１４は、グループについて決定され、決定した利用パターンに基づく。例えば、高いＱｏＳレベルは一定の地理的な場所（例えば、ユーザが車両内におり、出勤中の場合）および１日のうちの一定の時間（例えば、午前７：００〜９：００および午後４：００〜６：００）と関連付けられてよい。他の場所および時間では、低いＱｏＳレベルまたは中位のＱｏＳレベルが受信される。
【００２２】
ＱｏＳレベル１１４は、メンバーの利用パターンの変化に基づき、動的に変更されてよい。例えば、ユーザの地理的な利用パターンが変化するのにしたがって、ＱｏＳレベル１１４が調節されてもよい。別の例では、システムのユーザの数が変化するのにしたがって、ＱｏＳレベル１１４が調節されてもよい。
【００２３】
これに加えて、ＱｏＳレベル１１４が他の目的のために用いられてもよい。例えば、ネットワークの全体を通じて行われる通信は、ＱｏＳレベル１１４に基づき処理および管理されてよい。詳細には、ＱｏＳレベル１１４にしたがって、通信に処理のための優先順位が付けられてもよい。
【００２４】
ＱｏＳレベル１１４は複数のＱｏＳレベルであってもよい。例えば、グループ内の各ユーザが別個のＱｏＳレベルを有してもよい。別の例では、一定の種類の通信では異なるＱｏＳレベルが受信されてもよい。さらに別の例では、異なるカテゴリのユーザ（例えば、十代の学生、親および教師）が一定のイベントについて１つのグループとされながら、それらのサブグループの各々が異なるＱｏＳレベルを有してもよい。
【００２５】
別の手法では、所定のグループ（例えば、家族または友人）には一定の量のＱｏＳ単位が集合的に貸与（ｃｒｅｄｉｔ）される。次いで、グループプロファイル内において、メンバー間でそれらのＱｏＳ貸与分が所定の通りに分配される。グループのメンバーのうちの１人以上が所与の時点で接続されていない場合、それらのメンバーの貸与分が他のメンバーに再分配される。
【００２６】
グループの一定のメンバーには、ＱｏＳレベル１１４を調節することが可能とされてもよい。例えば、移動局１０２，１０４のユーザには、一定の環境（例えば、より高い料金の支払）下で、そのグループに関連付けられているＱｏＳレベル１１４（または任意のサブレベル）を変化させることが可能とされてもよい。別の例では、グループ内の最高優先度のユーザは、一定の期間、ＱｏＳレベル１１４を低下させる性能を有してもよく、同じ期間または異なる期間に別のグループメンバーに、より高いＱｏＳレベル１１４を与えることが可能である。
【００２７】
ネットワーク１０９内のオペレータは、プロファイル１１２が所定の特性を有するか否かを判定するために、グループのプロファイルについて問い合わせを行ってもよい。例えば、ＱｏＳについてグループプロファイルが問い合わせられ、重度利用時の必要に基づき調節されてよい。詳細には、グループが存在するか否か（例えば、メンバーが町から出ている）、またはプロファイルが使用時にもはや存在しないか否か（例えば、メンバーが移動した）を決定するために、ＱｏＳの問い合わせが行われてよい。また、グループプロファイルは、ネットワーク１０９の異なる複数のサービスエリア間で転送されてもよい。
【００２８】
ここで図２を参照して、グループプロファイルを動的に決定し、調節するための一手法について記載する。工程２０２にて、ユーザのグループのプロファイルが確立される。このグループは１人以上のメンバーを含む。このプロファイルは、グループのメンバーと関連付けられている１つ以上のサービス品質（ＱｏＳ）レベルを含む。
【００２９】
工程２０４にて、そのグループのメンバーについて、利用パターンが決定される。システムは、ユーザの地理的な利用パターンを決定するために、様々な機能エンティティ（例えば、基地局、サーバ）を用いてよい。例えば、システムは、都市、公道、空港、またはそれらが機能する国を決定してもよい。別の例では、システムは、システム内のユーザの時間的な利用パターンを決定してもよい。詳細には、システムは、ユーザが通信している時刻を決定してもよい。さらに別の例では、利用パターンは時間的な事由および地理的な事由の両方（例えば、ユーザが自身の移動局を使用している公道と、その時刻）を含んでよい。
【００３０】
工程２０６にて、ＱｏＳレベルが決定され、このレベルが、グループのメンバーの利用パターンに基づき、グループと関連付けられる。一例では、ユーザが高トラフィック量の時刻にネットワークを使用している場合、高いＱｏＳレベルが割り当てられる。一方、ユーザが低トラフィック時間にネットワークを使用している場合、相対的に低いＱｏＳレベルが割り当てられる。
【００３１】
他の種類の事由によって、ＱｏＳレベルの決定に影響が与えられてもよい。例えば、ユーザによって用いられる装置の種類や、ユーザに提供されるサービスのレベルによって、選択されるＱｏＳレベルに影響が与えられてもよい。
【００３２】
工程２０８にて、ユーザの利用パターンにおいて変化が判定されたか否かが判定される。回答が肯定的である場合、工程２０８にて、グループの１人以上のメンバーの利用パターンの変化に基づき、ＱｏＳレベルが動的に変更される。
【００３３】
ここで図３を参照して、グループのプロファイルを決定し、そのプロファイルを動的に調節するシステムの一例について記載する。この装置は、メモリ３０２（グループプロファイル３０４を含む）、コントローラ３０６、受信器３０８および送信器３１０を備える。
【００３４】
送信器３１０は、メモリ３０２の情報を使用する他のシステム要素へ、その情報を送信することができる。コントローラ３０６は、受信器３０８の入力部にてグループのメンバーの利用パターンを受信する。コントローラ３０６は、利用パターンに基づきＱｏＳレベルを決定し、グループのプロファイル３０４と関連付けるようにプログラムされている。コントローラ３０６は、さらに、メモリ３０２にＱｏＳレベルを記憶し、グループの１人以上のメンバーの利用パターンの変化に基づき、ＱｏＳレベルを動的に変更するようにプログラムされている。
【００３５】
ここで図４を参照して、複数のＱｏＳレベルを有するグループプロファイルの一例について記載する。この例では、グループプロファイル４００は、複数のＱｏＳレベル４０２，４０４，４０６を含む。これらのＱｏＳレベルの各々は、グループの異なるメンバーと関連付けられる。例えば、４人のメンバー「Ｗ」、「Ｘ」、「Ｙ」、「Ｚ」を有するネットワークでは、レベル４０２が「Ｗ」と、レベル４０４が「Ｘ」および「Ｙ」と、レベル４０６が「Ｚ」と関連付けられてよい。
【００３６】
ＱｏＳレベルは相対的に高い値から、より低い値までの範囲を有してもよく、特定のレベルに対する特定のユーザの割当は任意の数の因子に基づいてよい。例えば、特定のレベルに対するユーザの割当は、特定のユーザの地理的または時間的な動作のパターンに基づいてもよい。別の例では、この割当は、ユーザによって支払の行われるサービスのレベルまたはユーザによって利用される装置の種類に基づいてもよい。さらに別の例では、一部のレベルの割当は一部の因子に基づいて決定され、他のレベルの割当は他の因子に基づいてもよい。
【００３７】
また、ＱｏＳレベル４０２，４０４，４０６は時間を通じて動的に調節されてもよく、この調節が異なる事由に基づいてもよい。例えば、システムのユーザの数が判定され、この判定に基づき、周期的にＱｏＳレベル４０２，４０４，４０６が増減されてもよい。
【００３８】
したがって、グループプロファイルを決定し、動的に変更するとともに、ＱｏＳレベルをそのグループプロファイルに関連付ける手法について記載されている。このレベルは、グループのメンバーの利用パターンによって決定されてよい。本明細書に記載の手法によって、従来のシステムと関連付けられるよりも平衡の取れたＱｏＳレベルがグループのメンバーに提供され、システムのユーザには、より効率的なシステム動作や、より優れたサービス品質が保証される。
【図面の簡単な説明】
【００３９】
【図１】本発明の様々な実施形態による、グループのプロファイルを決定し動的にプロファイルを変更するためのシステムのブロック図。
【図２】本発明の様々な実施形態による、グループプロファイルを決定し変更するための手法のフローチャート。
【図３】本発明の様々な実施形態による、グループプロファイルを決定し変更するための装置のブロック図。
【図４】本発明の様々な実施形態による、複数のＱｏＳレベルを有するグループプロファイルのブロック図。
【図１】
2009519685.tif 000003
【図２】
2009519685.tif 000004
【図３】
2009519685.tif 000005
【図４】
2009519685.tif 000006
【手続補正書】
【提出日】平成20年6月12日(2008.6.12)
【手続補正１】
【補正対象書類名】特許請求の範囲
【補正対象項目名】全文
【補正方法】変更
【補正の内容】
【特許請求の範囲】
【請求項１】
グループのメンバーのサービス品質（ＱｏＳ）レベルを決定する方法であって、
１人以上のメンバーを含むグループのプロファイルを確立するプロファイル確立工程と、
グループの前記１人以上のメンバーの利用パターンを決定する利用パターン決定工程と、
グループの前記１人以上のメンバーの利用パターンに基づき、サービス品質（ＱｏＳ）レベルを決定し、前記グループと関連付けるＱｏＳ決定工程と、
グループの前記１人以上のメンバーの利用パターンの変化に基づき、ＱｏＳレベルを動的に変更するＱｏＳ変更工程と、
からなる方法。
【請求項２】
利用パターン決定工程は、時間的な利用パターンおよび地理的な利用パターンから選択される１つ以上の利用パターンを決定する工程を含む請求項１に記載の方法。
【請求項３】
ＱｏＳ決定工程は、複数のＱｏＳレベルを決定する工程と、少なくとも部分的には装置の種類に基づきＱｏＳレベルを決定する工程とのうちの一方または両方を含む請求項１に記載の方法。
【請求項４】
前記グループの別のメンバーがＱｏＳレベルを調節することを可能とする工程を含む請求項１に記載の方法。
【請求項５】
ＱｏＳ変更工程は、ユーザ数に基づきＱｏＳを動的に調節する工程を含む請求項１に記載の方法。
【請求項６】
グループのメンバーのサービス品質（ＱｏＳ）レベルを決定する方法であって、
グループの１人以上のメンバーの時間的および地理的な利用パターンを決定する利用パターン決定工程と、
グループの前記１人以上のメンバーの時間的および地理的な利用パターンに基づき、サービス品質（ＱｏＳ）レベルを決定し、前記グループと関連付けるＱｏＳ決定工程と、
からなる方法。
【請求項７】
グループの前記１人以上のメンバーの時間的および地理的な利用パターンの変化に基づき、ＱｏＳレベルを動的に変更するＱｏＳ変更工程を含む請求項６に記載の方法。
【請求項８】
少なくとも部分的にはＱｏＳレベルに基づき、ネットワークにおいて通信を管理する工程を含む請求項６に記載の方法。
【請求項９】
ＱｏＳ決定工程は、複数のＱｏＳレベルを決定する工程を含む請求項６に記載の方法。
【請求項１０】
グループのメンバーのサービス品質（ＱｏＳ）を決定する装置であって、
１人以上のメンバーを含むグループのプロファイルを記憶するメモリと、
入力部を有する受信器と、
メモリおよび受信器に結合されており、受信器の入力部においてグループの前記１人以上のメンバーの利用パターンを受信するコントローラと、同コントローラは、前記利用パターンに基づきＱｏＳレベルを決定し、前記グループのプロファイルと関連付けるようにプログラムされていることと、同コントローラは、ＱｏＳレベルをメモリに記憶するようにプログラムされていることと、同コントローラは、グループの前記１人以上のメンバーの利用パターンの変化に基づき、ＱｏＳレベルを動的に変更するようにプログラムされていることと、
からなる装置。
【請求項１１】
前記コントローラは、複数のＱｏＳレベルを決定するように、もしくは少なくとも部分的には装置の種類に基づきＱｏＳレベルを決定するように、またはその両方を行うようにプログラムされている請求項１０に記載の装置。